(57)【要約】      （修正有）【課題】簡単で製作及び操作が容易であり、薬の服用忘れを的確に防止し、かつ、暮らしに役立つ生活情報表示欄と広告表示欄とを備えた薬ホルダー付き生活情報・広告表示ボードを提供する。【解決手段】板状のボード２の表面上方部に暮らしに役立つ生活情報を記載した生活情報表示欄３と、下方部に当該ボードを提供又は頒布する者又は企業の広告を記載した広告表示欄４を備え、生活情報表示欄と広告表示欄との間のボード中央部に複数の薬ホルダー５〜８を配設してなる薬ホルダー付き生活情報・広告表示ボード。【選択図】図１
0003137767.tif 000002
【実用新案登録請求の範囲】
【請求項１】
板状のボードであって、表面上方部に暮らしに役立つ生活情報を記載した生活情報表示欄と、下方部に当該ボードを提供又は頒布する者又は企業の広告を記載した広告表示欄を備え、生活情報表示欄と広告表示欄との間のボード中央部に複数の薬ホルダーを配設してなることを特徴とする薬ホルダー付き生活情報・広告表示ボード。
【請求項２】
前記薬ホルダー付き生活情報・広告表示ボードが、壁掛け型又は貼付型のものであることを特徴とする請求項１に記載の薬ホルダー付き生活情報・広告表示ボード。
【請求項３】
前記薬ホルダーが錠剤又は薬袋を収容し取り出し自在な形状に形成されてなることを特徴とする請求項１又は２に記載の薬ホルダー付き生活情報・広告表示ボード
【請求項４】
複数の薬ホルダーが、朝、昼、夕等の服用時間帯別に着色されたカラーの台紙に固着された透明のポケットでなり、一日の服用時間帯順に横一列にボードに装着されてなることを特徴とする請求項１〜３のいずれか１項に記載の薬ホルダー付き生活情報・広告表示ボード。
【請求項５】
複数の薬ホルダーが、一日の服用時間帯順に横一列に装着された薬ホルダーに加えて、次の数日分の薬ホルダーが、二列、三列等の複数列として装着されてなることを特徴とする請求項１〜３のいずれか１項に記載の薬ホルダー付き生活情報・広告表示ボード。
【請求項６】
前記ボードの薬ホルダー取着部に近接した下部表面に、薬ホルダーから取り出して服用した後、空になった薬袋を収納するための透明なポケットを備えてなることを特徴とする請求項１〜５のいずれか１項に記載の薬ホルダー付き生活情報・広告表示ボード。
【請求項７】
複数の薬ホルダーに収容した薬の服用時間帯を変更する場合に、薬ホルダーが固着されたカラー台紙の色を変更した時間帯に対応した色に変更するスペアカードを備え、必要に応じて前記薬ホルダーに挿入可能にしてなることを特徴とする請求項１〜６のいずれか１項に記載の薬ホルダー付き生活情報・広告表示ボード。
【考案の詳細な説明】
【技術分野】
【０００１】
本考案は、薬の服用忘れを防止する薬ホルダーを備え、かつ暮らしに役立つ情報等が記載された生活情報表示欄と、企業等の広告を記載した広告表示欄を備えた薬ホルダー付き生活情報・広告表示ボードに関する。
【背景技術】
【０００２】
薬の服用忘れを防止する目的の発明や考案は、数多くなされている。
例えば、特開２０００−３２５１２７号公報には「２本の折り目により略等寸の３つの部分に分割され、折り畳んだときに内側となる面の各部分に薬入れ用のポケットを有し、外側となる面の少なくとも１つの部分に透明窓枠付きのカードいれを有する」定期入れ型薬入れが開示されており、また、実開平６−５８９４９号公報には、「厚手の軟質樹脂シートを使い内側に多数の小袋のポケット３日３回分即ち９ケの小袋を具備した厚手の軟質シートを数枚作りこれを下側より順に本体に組み付ける、この組み付けられた小袋形計４２ケ即ち１４日分を上から順に３日３回分を使用した順に巻き上げ１４日分を服用する。以上のように構成されたおくすりポケット（１４日）」が開示されている。
さらに、特開２００４−９８２９３号公報には、「カレンダーにスポンサーの広告欄を設けて、同広告欄に掲載したスポンサーのカレンダーの企画者や頒布者が広告料収入を得ることができ、またカレンダーの七曜表の日付欄に、朝・昼・夕等の薬の服用時間帯が表示され、各服用時間帯の表示部分に薬袋２を着脱可能に取り付けることができるようにして薬の飲み忘れを防止できるようにしたカレンダー」の発明が開示されている。
【特許文献１】特開２０００−３２５１２７号公報
【特許文献２】実開平６−５８９４９号公報
【特許文献３】特開２００４−９８２９３号公報
【考案の開示】
【考案が解決しようとする課題】
【０００３】
しかし、上記の定期入れ型薬入れは身近に携帯できる利便さはあるが、１日３回分の服用分に限られ毎日詰め替えねばならず、またおくすりポケット（１４日）は１日分を服用し終えるたびにシートを巻き上げるといった面倒な作業が必要となる。
また、七曜表に薬袋を係合させるカレンダーでは、病院や薬局で受け取った薬袋を最初の服用時間に対応する被係合部の係合孔に吊り下げておき、最初の服用時に係合片を係合孔から外して薬袋から１回分の薬を取り出して服用し、薬袋を次の服用時間帯に対応する被係合部の係合孔に吊り下げるという面倒な操作を必要としている。そしてカレンダーに社名等の広告欄を設けることは周知であり、またカレンダー自体の必須の要件ではない。
本考案は、簡単で製作及び操作が容易であり、薬の服用忘れを的確に防止し、かつ、暮らしに役立つ生活情報表示欄と広告表示欄とを備えた薬ホルダー付き生活情報・広告表示ボードを提供するものである。
【課題を解決するための手段】
【０００４】
上記に鑑み、考案者は下記の手段により上記課題を解決した。
（１）板状のボードであって、表面上方部に暮らしに役立つ生活情報を記載した生活情報表示欄と、下方部に当該ボードを提供又は頒布する者又は企業の広告を記載した広告表示欄を備え、生活情報表示欄と広告表示欄との間のボード中央部に複数の薬ホルダーを配設してなることを特徴とする薬ホルダー付き生活情報・広告表示ボード。
（２）前記薬ホルダー付き生活情報・広告表示ボードが、壁掛け型又は貼付型のものであることを特徴とする前記（１）に記載の薬ホルダー付き生活情報・広告表示ボード。
（３）前記薬ホルダーが錠剤又は薬袋を収容し取り出し自在な形状に形成されてなることを特徴とする前記（１）又は（２）に記載の薬ホルダー付き生活情報・広告表示ボード。
【０００５】
（４）複数の薬ホルダーが、朝、昼、夕等の服用時間帯別に着色されたカラーの台紙に固着された透明のポケットでなり、一日の服用時間帯順に横一列にボードに装着されてなることを特徴とする前記（１）〜（３）のいずれか１項に記載の薬ホルダー付き生活情報・広告表示ボード。
（５）複数の薬ホルダーが、一日の服用時間帯順に横一列に装着された薬ホルダーに加えて、次の数日分の薬ホルダーが、二列、三列等の複数列として装着されてなることを特徴とする前記（１）〜（３）のいずれか１項に記載の薬ホルダー付き生活情報・広告表示ボード。
（６）前記ボードの薬ホルダー取着部に近接した下部表面に、薬ホルダーから取り出して服用した後、空になった薬袋を収納するための透明なポケットを備えてなることを特徴とする前記（１）〜（５）のいずれか１項に記載の薬ホルダー付き生活情報・広告表示ボード。
（７）複数の薬ホルダーに収容した薬の服用時間帯を変更する場合に、薬ホルダーが固着されたカラー台紙の色を変更した時間帯に対応した色に変更するスペアカードを備え、必要に応じて前記薬ホルダーに挿入可能にしてなることを特徴とする前記（１）〜（６）のいずれか１項に記載の薬ホルダー付き生活情報・広告表示ボード。
【考案の効果】
【０００６】
１、本考案の請求項１〜３の考案によれば、
ボードの表面上方部には、暮らしに役立つ情報を記載可能な生活情報表示欄を備えているので、当該生活情報表示欄に、区役所、郵便局、銀行、スーパー、コンビニ、病院、薬局、タクシー会社等の所在地や電話番号、その他の家族の連絡先などの個人情報を記載しておくことによって、生活する上での有益な情報を容易に確認できる便利さがある。
さらに、ボードの下方部に広告表示欄が備えられ、当該ボードを提供又は頒布する者、及び企業等の広告を記載できるので、頒布者、スポンサー等の宣伝広告効果が期待できる。
そして、ボード中央部に、複数の薬ホルダーが配設され、前記薬ホルダーが錠剤や薬袋を収容し取り出し自在な形状に形成されていいるので、取り扱いが簡便で容易であり、継続して使用することができる。
その上、薬ホルダー付き生活情報・広告表示ボードが、壁掛け型又は貼付型であり、部屋の壁面、衝立、冷蔵庫の壁面等に吊設あるいは貼付して使用できるので、床面積を取らない。
【０００７】
２、請求項４の考案によれば、
複数の薬ホルダーが、服用時間帯別に着色されたカラーの台紙に固着された透明のポケットでなり、一日の服用時間帯順に横一列に装着されてなるため、薬の服用者は、事前に一日に服用する、例えば、朝、昼、夕、晩に服用する薬を入れて、各対応する薬ホルダーにセットしておけば、薬ホルダーの前記カラーの台紙をバックにした薬が、ホルダーの透明ポケットを透して容易に視認することができる。
したがって、予めホルダーの台紙のカラーを例えば、朝（赤）、昼（緑）、夕（黄）、晩（青）に決めておけば、服用者が朝の服用時間に朝用の薬ホルダーから薬を取り出すと、薬ホルダーは赤の台紙の全面が表示され、昼に、昼用の薬ホルダーから薬を取り出すと薬ホルダーは緑の台紙の全面が表示され、同様に夕は黄色の台紙、晩は青の台紙が表示される。そのため、もし飲み忘れた場合は、薬ホルダーの各色の台紙が全面に表示されないので一見して判明する。
【０００８】
３、請求項５の考案によれば、
複数の薬ホルダーが、一日の服用時間帯順に横一列に装着された薬ホルダーに加えて、次の数日分が、二列、三列等の複数列として配設されてなるため、数日分を一度にセットすることができ、飲み忘れを防止しながら順番に服用することができる。
４、請求項６の考案によれば、
本考案の薬ホルダー付き生活情報・広告表示ボードには、薬ホルダーに近接した下部表面に、薬ホルダーから取り出して服用した後、空になった薬袋等を収納するための、透明のポケットを備えることができるので、使用済みの薬袋等を一旦収納することができ、外部に散逸することなく整理できる。
そして、次のセット時に取り出して、まとめて廃棄、あるいはリサイクル可能な薬袋であれば、何回でも使用することができる。
５、請求項７の考案によれば、
複数の薬ホルダーに収容した薬の服用時間帯を変更する場合に、薬ホルダーが固着されたカラー台紙の色を変更した時間帯に対応した色に変更するスペアカードを備えているので、薬ホルダーにこのスペアカードを挿入しておけば、本来の台紙のカラーが隠され、所要服用時間帯の変更が容易に視認でき誤服用が防止できる。
【考案を実施するための最良の形態】
【０００９】
考案を実施するための最良の形態を図面に基づいて以下に説明する。
図１は、薬ホルダー付き生活情報・広告表示ボードの外観斜視図である。
図において、１は薬ホルダー付き生活情報・広告表示ボード、２は壁掛けボード、３は生活情報表示欄、４は広告表示欄、５は朝用薬ホルダー、５’は朝用カラー台紙、６は昼用薬ホルダー、６’は昼用カラー台紙、７は夕用薬ホルダー、７’は夕用カラー台紙、８は晩用薬ホルダー、８’は晩用カラー台紙、９は昼用薬仕分け袋、１０は夕用薬仕分け袋、１１は晩用薬仕分け袋、１２は吊設孔を示す。
図２は、朝用の薬ホルダーの外観斜視図である。
図において、１３は透明のポケット、１４は時間帯表示透明シール、１５は仕分け袋の出し入れ口を示す。
図３は朝用薬仕分け袋の外観図である。
図において、１６は朝用薬仕分け袋、１７は時間帯表示と薬名、１８は薬出し入れ口を示す。
図４は、スペアカードの外観図である。
図において、１９はスペアカードを示す。
【００１０】
図１に示したように、薬ホルダー付き生活情報・広告表示ボード１は、吊設孔１２を有する厚紙や、プラスチック等で作成した壁掛けボード２と、同壁掛けボード２の表面上方部には、暮らしに役立つ情報、例えば、区役所、郵便局、銀行や、スーパー、コンビニ、病院、薬局、タクシー会社等の所在地や電話番号等、及び家族の連絡先など、個人情報を印刷又は記載しておくことができる生活情報表示欄３が設けられ、また、下方部には広告表示欄４が設けられており、ここには例えば、頒布者名や、製薬会社・調剤薬局等のマークや所在地、電話番号等の広告を表示する。
【００１１】
そして、前記ボードの中央部には、飲み忘れ防止機能を有する複数の薬ホルダーが備えられている。
図１には、朝用薬ホルダー５、昼用薬ホルダー６、夕用薬ホルダー７、晩用薬ホルダー８が、服用時間帯別に横一列にボードに装着されている。
また、前記ボードには、朝用カラー台紙５’（例えば、朝用の台紙のカラーは赤とする）と、昼用カラー台紙６’（緑）、と、夕用カラー台紙７’（黄）及び晩用カラー台紙８’（青）が配置され、各薬ホルダーは、前記各カラーの台紙の下方に透明のプラスチックやビニール等からなる透明のポケット１３で構成されている。（一例として、図２に朝用薬ホルダー５の外観斜視図を示す。）
なお、透明のポケット１３の中央には時間帯表示透明シール１４を貼付することもでき、ポケットの上部は時間帯別の薬仕分け袋（昼用薬仕分け袋９、夕用薬仕分け袋１０、晩用薬仕分け袋１１）が自在に出し入れできるように開口されている。
なお、図では服用する時間帯別に薬が薬仕分け袋に梱包されているが、服用する薬によっては、錠剤をそのまま薬ホルダーに収容することができる。
【００１２】
薬ホルダーは、 図１に示したように、薬の服用者が、事前に一日に服用する朝、昼、夕、晩に区分された複数の薬の仕分け袋に、所要の薬の種類と数量を入れて、各対応する薬ホルダーにセットすると、仕分け袋によって前記ホルダー台紙のカラーが隠され、仕分け袋の色（例えば白色）のみが、ホルダーの透明ポケットを透して見える。
したがって、予めホルダーの台紙のカラーを例えば、朝（赤）、昼（緑）、夕（黄）、晩（青）と決めておけば、服用者が朝の服用時間に朝の薬ホルダー５から朝用薬仕分け袋（１６）（図３参照）を取り出すと、朝用薬ホルダー５は、朝用カラー台紙５’の色である赤に変わる。
そして、昼に、昼用の薬仕分け袋９を取り出すと昼用薬ホルダー６は昼用カラー台紙６’の緑に変わり、同様に夕用薬ホルダー７は黄に、晩用薬ホルダー８は青に変わる。
そして、もし飲み忘れた場合は、該時間帯の薬ホルダーの色は変わらないので、一見して判明する。色別の識別法は、飲み忘れに効果的である。
さらに、前記透明のポケット１３の中央に、例えば朝の時間帯表示透明シール１４（図２）を貼付すると、補助的に認識することができる。
【００１３】
なお、上記実施例において、薬は、薬の時間帯に係る仕分け袋に収容されている。
図３の朝用薬仕分け袋の外観図に示したように、朝用の薬仕分け袋１６は、小型の白い紙の袋が好ましい。
通常、薬局等からは、大きな薬袋にシールされた各種の複数日分の薬が収容されて渡されるため、服用者は一日分を服用時間帯別に区分して小袋に仕分けすることが必要である。
この仕分け袋、例えば薬出し入れ口１８を有する朝用の薬仕分け袋１６には、時間帯表示と薬名１７等を記載しておくと便利である。
また、病院や薬局によっては、予め時間帯毎に仕分けた薬を、小袋に収容して渡すところがあるので、この場合は前記服用者による仕分けは不要で、小袋を前記該当する薬ホルダーに直接入れればよい。
【００１４】
薬ホルダーに収容した薬の服用時間帯を変更する場合には、薬ホルダーが固着されたカラー台紙の色を変更した時間帯に対応した色に変更するスペアカードを使用する。
図４は、スペアカードの外観図である。
このスペアカード１９は、前記薬仕分け袋１６（図３）より大きめでかつ、カラーは、他で使用していない色、例えばグレー等がよい。
スペアカード１９は、前記服用の時間帯は例えば、朝、昼、夕、晩の４区分とは限らず、朝、昼、夕の３区分や、途中で区分が変更になる場合、服用の必要のない時間帯の薬ホルダーにこのカードを挿入すると、本来の台紙の色が隠され、スペアカード１９の色、例えばグレーに変わるので、服用時間帯の確認が容易であり、また確実に服用時間帯の変更をすることができる（図７参照）。
【００１５】
図５は多段式の薬ホルダー付き生活情報・広告表示ボードの外観斜視図である。
図において、２０は多段式壁掛けボード、２１、２２、２３、２４は２段目の薬ホルダー、２５、２６、２７、２８、は３段目の薬ホルダーを示す。
前記図１の薬ホルダー付き生活情報・広告表示ボード１と異なる所は、薬ホルダーを多段にした点である。
ボードの中央部に、一日分を朝、昼、夕、晩の服用時間帯毎に仕分けし、横一列に装着された前記朝用薬ホルダー５、昼用薬ホルダー６、夕用薬ホルダー７、晩用薬ホルダー８の各薬ホルダー（図１）に加えて、２日目の分が、２段目に朝用薬ホルダー２１、昼用薬ホルダー２２、夕用薬ホルダー２３、晩用薬ホルダー２４として同様に横一列に配設され、さらに、３日目の分が、３段目に朝用薬ホルダー２５、昼用薬ホルダー２６、夕用薬ホルダー２７、晩用薬ホルダー２８として同様に横一列に配設されている。
したがって、数日分を一度にセットすることができ、飲み忘れを防止しながら順番に薬を服用することができる。
図５に示す例は、一日目は、薬の服用が済み、２日目は朝の時間帯まで服用されており、３日目は薬は全く服用されていない状態を示している。
また、生活情報表示欄３、広告表示欄４については図１と同様であるが、ボードは多段式になった分大きくなっているので、情報量を増やすことができる。
【００１６】
図６は空袋収納ポケットを有する薬ホルダー付き生活情報・広告表示ボードの外観斜視図である。
図において、２９は空袋収納ポケット付きボード、３０は空袋収納ポケット、３１〜３４は収納部を示す。
前記の図１の薬ホルダー付き生活情報・広告表示ボードと異なる所は、薬ホルダーに近接した下部に、空袋収納ポケットを設けた点である。
この空袋収納ポケット３０は透明で、収納部３１〜３４が設けられている。材質は収納されているかいないかが一目で確認できるよう透明のプラスチックや、ビニール製が好ましい。
前記の実施例のように、当該薬ホルダーから薬仕分け袋や錠剤、薬袋を取り出し服用後、空になった袋や包装紙を、透明な空袋収納ポケット３０の当該収納部３１〜３４に収納する。
したがって、空袋の収納状況が目視でき、外部に散逸することなく整理が容易である。
図６は、朝用薬ホルダー５及び昼用薬ホルダー６から、服用後、朝用薬仕分け袋１６及び昼用薬仕分け袋９を取り出して、収納部３１及び３２にそれぞれ収納した状態を示す。
なお、薬仕分け袋の場合は、次のセット時に取り出して何回でも使用することができる。
【００１７】
図７は、服用時間帯を変更した薬ホルダー付き生活情報・広告表示ボードの外観斜視図である。
図４は、スペアカード１９を晩の服用時間帯の薬ホルダー８に挿入して、台紙の色を隠蔽し、朝、昼、夕の３区分に服用が必要であると認識できるように変更している。
【図面の簡単な説明】
【００１８】
【図１】薬ホルダー付き生活情報・広告表示ボードの外観斜視図
【図２】朝用の薬ホルダーの外観斜視図
【図３】朝用薬仕分け袋の外観図
【図４】スペアカードの外観図
【図５】多段式の薬ホルダー付き生活情報・広告表示ボードの外観斜視図
【図６】空袋収納ポケットを有する薬ホルダー付き生活情報・広告表示ボードの外観斜視図
【図７】服用時間帯を変更した薬ホルダー付き生活情報・広告表示ボードの外観斜視図
【符号の説明】
【００１９】
１：薬ホルダー付き生活情報・広告表示ボード
２：壁掛けボード
３：生活情報表示欄
４：広告表示欄
５：朝用薬ホルダー
５’：朝用カラー台紙
６：昼用薬ホルダー
６’：昼用カラー台紙
７：夕用薬ホルダー
７’：夕用カラー台紙
８：晩用薬ホルダー
８’:晩用カラーの台紙
９：昼用薬仕分け袋
１０：夕用薬仕分け袋
１１：晩用薬仕分け袋
１２：吊設孔
１３：透明のポケット
１４：時間帯表示透明シール
１５：仕分け袋の出し入れ口
１６：朝用薬仕分け袋
１７：時間帯表示と薬名
１８：薬出し入れ口
１９：スペアカード
２０：多段式壁掛けボード
２１〜２４：２段目の薬ホルダー
２５〜２８：３段目の薬ホルダー
２９：空袋収納ポケット付きボード
３０：空袋収納ポケット
３１〜３４：収納部
【図１】
0003137767.tif 000003
【図２】
0003137767.tif 000004
【図３】
0003137767.tif 000005
【図４】
0003137767.tif 000006
【図５】
0003137767.tif 000007
【図６】
0003137767.tif 000008
【図７】
0003137767.tif 000009